【手続補正書】
【提出日】平成14年10月2日(2002.10.2)
【手続補正１】
【補正対象書類名】明細書
【補正対象項目名】特許請求の範囲
【補正方法】変更
【補正の内容】
【特許請求の範囲】
【請求項１】
保険の契約をしている少なくとも１人の人を特定する第１の生命保険証書に基づいて、１人以上の人に追加生命保険を提供するコンピュータシステムであって、該システムは、
ネットワークに通信可能に接続された少なくとも１つのブローカコンピュータであって、該ブローカコンピュータは、
（ａ）該第１の生命保険証書に関連し、かつ、命令に関連するデータを該ブローカコンピュータに入力するための、該ブローカコンピュータに動作可能に接続された第１の入力デバイスと、
（ｂ）該ネットワークに通信可能に接続された少なくとも１つの顧客コンピュータを介した該少なくとも１つの人から、クエリに関するデータを該ネットワークを介して受信するための、該ブローカコンピュータに動作可能に接続された第２の入力デバイスと、
（ｃ）追加生命保険の有資格性についての１つ以上の基準を含むデータを格納するデータ格納デバイスと
を備え、該ブローカコンピュータは、該クエリに関するデータの受信に応答して、該第１の生命保険証書に関連するデータと、有資格性についての該１つ以上の基準とを比較し、第２の生命保険証書によって提供される追加生命保険について、該１人以上の人の有資格性が判定されるように構成され、
該ブローカコンピュータは、該第２の生命保険証書によって提供される第２の給付額を確立し、該第１の生命保険証書、該１人以上の人の有資格性および該第２の給付額に関する該データから該第２の生命保険証書を生成するように構成され、該第２の生命保険証書は、該第２の給付額を支払うための、少なくとも１保険者の債務証書を作成する、少なくとも１つのブローカコンピュータと、
該第２の生命保険証書に関するデータを該ネットワークを介して該顧客コンピュータに伝送するための、該ブローカコンピュータに動作可能に接続された少なくとも１つの出力デバイスと
を備える、システム。
【請求項２】
前記ブローカコンピュータは、前記ネットワークを介して、前記第１の生命保険証書を発行する第１の保険者の少なくとも１つの第１の保険者用コンピュータに通信可能に接続されている、請求項１に記載のシステム。
【請求項３】
前記ブローカコンピュータおよび前記第１の保険者用コンピュータは、１つ以上のデータベースに通信可能に接続されており、該１つ以上のデータベースは、前記１人以上の人、前記第１の生命保険証書および前記第１の保険者の少なくとも１つに関連するデータを含む、請求項２に記載のシステム。
【請求項４】
前記ブローカコンピュータは、１つ以上のデータベースに通信可能に接続されており、該１つ以上のデータベースは、前記１人以上の人、前記第１の生命保険証書および前記第１の保険者の少なくとも１つに関連する情報を含む、請求項１〜３のいずれかに記載のシステム。
【請求項５】
前記ブローカコンピュータは、前記第１の生命保険証書の少なくとも１つの期間に対応するデータを、前記１つ以上のデータベースのうち少なくとも１つ、前記少なくとも１つの第１の保険者、および、前記少なくとも１つの顧客コンピュータから受信するように構成されている、請求項１〜４のいずれかに記載のシステム。
【請求項６】
前記ブローカコンピュータは、前記ネットワークを介して前記データを受信するように構成されている、請求項１〜５のいずれかに記載のシステム。
【請求項７】
前記ブローカコンピュータは、前記第１の生命保険証書の前記少なくとも１つの期間に対応する前記データと、有資格性について格納された前記１つ以上の基準とを比較し、前記第２の生命保険証書について前記１つ以上の人の有資格性を判定するように構成されている、請求項１〜６のいずれかに記載のシステム。
【請求項８】
前記データ格納デバイスは、前記第２の生命保険証書について前記１人以上の人の有資格性を判定する際に、前記ブローカコンピュータによって用いられる前記第１の生命保険証書の前記少なくとも１つの期間に対応するデータを格納するように構成されている、請求項１〜７のいずれかに記載のシステム。
【請求項９】
前記ブローカコンピュータは、前記第１の生命保険証書の証書期間にたいおうするデータを受信するように構成されており、
該ブローカコンピュータは、該証書期間に対応する前記データと、有資格性について格納された前記１つ以上の基準とを比較して、前記第２の生命保険証書について前記１人以上の人の有資格性を判定するようにさらに構成されている、請求項１〜８のいずれかに記載のシステム。
【請求項１０】
前記ブローカコンピュータは、前記第１の生命保険証書の給付額に対応するデータを受信するように構成されており、
該ブローカコンピュータは、該給付額に対応するデータと、有資格性について格納された前記１つ以上の基準とを比較して、前記第２の生命保険証書について前記１人以上の人の有資格性を判定するようにさらに構成されている、請求項１〜９のいずれかに記載のシステム。
【請求項１１】
前記ブローカコンピュータは、前記第１の生命保険証書について前記１人以上の人の有資格性を判定する際に、前記１つ以上のデータベースのうち少なくとも１つ、前記少なくとも１つの第１の保険者用コンピュータ、および、前記第１の保険者によって用いられる少なくとも１つの基準に対応する前記少なくとも１つの顧客コンピュータからデータを受信するように構成されている、請求項１〜１０のいずれかに記載のシステム。
【請求項１２】
前記ブローカコンピュータは、前記第１の保険者によって用いられる前記少なくとも１つの基準に関する前記データと、有資格性について格納された前記１つ以上の基準とを比較して、前記第２の生命保険証書について前記１人以上の人の有資格性を判定するように構成されている、請求項１〜１１のいずれかに記載のシステム。
【請求項１３】
前記データ格納デバイスは、前記第１の生命保険証書について前記１人以上の人の有資格性を判定する際に、前記第１の保険者によって用いられる前記少なくとも１つの基準に対応するデータを格納するように構成されている、請求項１〜１２のいずれかに記載のシステム。
【請求項１４】
前記ブローカコンピュータは、前記ネットワークを介して少なくとも１つのクエリに対応するデータを前記少なくとも１つの顧客コンピュータに伝送するように構成されており、前記少なくとも１つの顧客コンピュータは、前記１人以上の人からの前記少なくとも１つのクエリへの応答に対応するデータ入力を受信し、該入力データを該ブローカコンピュータに伝送するように構成されている、請求項１〜１３のいずれかに記載のシステム。
【請求項１５】
前記データ格納デバイスは、前記少なくとも１つのクエリへの前記応答に対応する前記データを格納するように構成されている、請求項１〜１４のいずれかに記載のシステム。
【請求項１６】
前記ブローカコンピュータは、前記少なくとも１つのクエリへの前記応答に対応する前記データと、有資格性について格納された前記１つ以上の基準とを比較して、前記第２の生命保険証書について前記１人以上の人の有資格性を判定するように構成されている、請求項１〜１５のいずれかに記載のシステム。
【請求項１７】
前記ブローカコンピュータは、前記少なくとも１つのクエリへの前記応答に対応する前記データを比較するように構成されており、前記少なくとも１つのクエリに対応する前記データは、少なくとも前記保険契約されている人の健康状態の証明書に関連する、請求項１〜１６のいずれかに記載のシステム。
【請求項１８】
前記ブローカコンピュータは、前記データ入力のうち１つ以上と、有資格性について格納された前記１つ以上の基準とを比較し、前記第２の生命保険証書についての前記１人以上の人の有資格性を判定する際に、少なくとも１つのリスク削減手順を実行するように構成されている、請求項１〜１７のいずれかに記載のシステム。
【請求項１９】
請求項１〜１８のいずれか１つに記載の前記少なくとも１つの顧客コンピュータとして動作するように構成されたコンピュータ端末。
【請求項２０】
請求項１〜１９のいずれか１つに記載の前記ブローカコンピュータとして動作するように構成されたサーバ。
【請求項２１】
請求項１９に記載の前記端末と、請求項２０に記載の前記サーバとを含むネットワーク。
【請求項２２】
追加生命保険について１人以上の保険契約されている人の有資格性を判定する際に、少なくとも１つのブローカコンピュータによってアクセス可能なコンピュータ読取り可能媒体に含まれるデータ構造であって、
該１人以上の保険契約されている人によって保持される第１の保険証書の少なくとも１つの期間に関連する第１の入力と、
該第１の保険証書の前記少なくとも１つの期間と比較するために、有資格性について少なくとも１つ以上の基準に関連する第２の入力と
を含む、データ構造。
【請求項２３】
追加生命保険について１人以上の保険契約されている人の有資格性を判定する際に、少なくとも１つのブローカコンピュータによってアクセス可能なコンピュータ読取り可能媒体に含まれるデータ構造であって、
第１の生命保険証書について該１人以上の保険契約されている人の有資格性を判定する際に、第１の保険者によって用いられる少なくとも１つの基準に関連する第１の入力と、
該第１の保険者によって用いられる有資格性についての該少なくとも１つの基準と比較するために、有資格性の少なくとも１つ以上の基準に関連する第２の入力と
を含む、データ構造。
【請求項２４】
前記データ構造は、第２の給付額に関連する入力を含む，請求項２２または２３のいずれかに記載のデータ構造。
【請求項２５】
保険の契約をしている１人以上の人を特定する少なくとも第１の生命保険証書に基づいて、１人以上の人に追加生命保険を提供するコンピュータが実行する方法であって、該コンピュータが実行する方法は、
該第１の生命保険証書に基づいて該保険契約をしている１人以上の人を特定するデータをコンピュータに入力するステップと、
該第１の生命保険証書の少なくとも１つの期間に関するデータを該コンピュータに入力するステップと、
該第１の生命保険証書の該少なくとも１つの期間に関する該データと、該コンピュータに格納された有資格性についての１つ以上の基準とを比較して、第２の生命保険証書によって提供される追加生命保険について、該１人以上の人の有資格性を判定するステップと、
第２の給付額に関するデータを該コンピュータに入力するステップと、
該第１の生命保険証書の該少なくとも１つの期間、該１人以上の人の該有資格性および該第２の給付額に関する該データから該第２の生命保険証書を生成するステップであって、該第２の生命保険証書は、該第２の給付額を支払うために、少なくとも１保険者の債務証書を作成する、ステップと
を包含する、コンピュータが実現する方法。
【請求項２６】
前記第１の生命保険証書について前記１人以上の人の有資格性を判定する際に、第１の保険者によって用いられる少なくとも１つの基準に関するデータを前記コンピュータに入力するステップと、
該第１の保険者の該少なくとも１つの基準に関する該データと、該コンピュータに格納された有資格性についての前記１つ以上の基準とを比較して、前記第２の生命保険証書について、該１人以上の人の有資格性を判定するステップと
をさらに包含する、請求項２５に記載のコンピュータが実現する方法。
【請求項２７】
少なくとも命令のプログラムに含まれるコンピュータ読取り可能媒体であって、端末上で実行する際に、該少なくとも命令のプログラムによって該端末を請求項１９に規定される端末として機能させる、コンピュータ読取り可能媒体。
【請求項２８】
命令のプログラムによってコード化されるコンピュータ読取り可能媒体であって、サーバ上で実行する際に、該命令のプログラムによって該サーバを請求項２０に規定されるサーバとして機能させる、コンピュータ読取り可能媒体。